(57)【要約】【課題】防塵眼鏡に加わる衝撃が顔面に緩和して伝達するようにする。【解決手段】着用者の眼の前方に位置する眼鏡部１１は、粉塵等が眼の周りに入り込まないように、その周囲は防塵枠部１２により囲まれている。眼鏡部１１と防塵枠部１２は合成樹脂材により一体的に成形されている。防塵枠部１２の縁部１２ａに沿って、合成樹脂材から成る柔軟性かつ弾力性を有する当接部材１３が、防塵枠部１２の縁部１２ａに付設されている。当接部材１３は防塵枠部１２の縁部１２ａを挟着する挟着部１３ａと、額に柔軟に当接するための額当て部１３ｂと、挟着部１３ａと額当て部１３ｂの中間にあって、衝撃等を吸収するための緩衝部１３ｃとから構成されている。【選択図】        図２
2004271753.tif 000002
【特許請求の範囲】
【請求項１】
透明硬質材料から成る眼鏡部と、該眼鏡部の周囲に設けた防塵枠部と、耳掛部と、前記防塵枠部の上部の略水平方向に向く縁部に沿って取り付けた柔軟性かつ弾力性を有する当接部材とを有する防塵眼鏡であって、前記当接部材は、前記縁部を挟着して固定するための断面コ字状の挟着部と、額に柔軟に当接する額当て部と、該額当て部と前記挟着部の間にあって衝撃を緩和するための蛇腹状に屈曲した緩衝部とから成ることを特徴とする防塵眼鏡。
【請求項２】
前記緩衝部は少なくとも１個の折返部を有する請求項１に記載の防塵眼鏡。
【請求項３】
前記挟着部が前記防塵枠部の縁部を挟着する２つの線分の延長線間に前記緩衝部を延在した請求項１に記載の防塵眼鏡。
【請求項４】
前記当接部材の額当て部はひれ状の端部を上方に向けてカールさせた請求項１に記載の防塵眼鏡。
【発明の詳細な説明】
【０００１】
【発明の属する技術分野】
本発明は、顔部に装着して眼を飛散物、粉塵、飛沫、風圧等から保護する防塵眼鏡に関するものである。
【０００２】
【従来の技術】
図７は本出願人による特願２００１−２５８９１１号に係る防塵眼鏡の斜視図を示し、眼鏡部１を囲む防塵枠部２の縁部３には防塵眼鏡に飛散物が衝突した際の衝撃を緩和するために、柔軟性を有する合成樹脂から成る当接部材４が取り付けられている。
【０００３】
【発明が解決しようとする課題】
しかし、この従来の防塵眼鏡では、防塵枠部２に柔軟性、弾力性のある当接部材４が取り付けられているとはいえ、例えば小石等の重量のある飛散物等が防塵眼鏡に衝突したり、防塵眼鏡を壁等にぶつけた場合には、当接部材４による衝撃力の吸収が不十分で、顔面に痛みや不快感を感ずることがある。
【０００４】
また、衝撃の大きさや衝撃が加わる角度によっては、当接部材４が防塵枠部２から外れてしまうこともある。
【０００５】
本発明の目的は、上述の問題点を解消し、防塵機能を向上させると共に、衝撃によって当接部材が顔面を押圧してもさほど不快感を少なく、当接部材が外れ難い防塵眼鏡を提供することにある。
【０００６】
【課題を解決するための手段】
上記目的を達成するための本発明に係る防塵眼鏡は、透明硬質材料から成る眼鏡部と、該眼鏡部の周囲に設けた防塵枠部と、耳掛部と、前記防塵枠部の上部の略水平方向に向く縁部に沿って取り付けた柔軟性かつ弾力性を有する当接部材とを有する防塵眼鏡であって、前記当接部材は、前記縁部を挟着して固定するための断面コ字状の挟着部と、額に柔軟に当接する額当て部と、該額当て部と前記挟着部の間にあって衝撃を緩和するための蛇腹状に屈曲した緩衝部とから成ることを特徴とする。
【０００７】
【発明の実施の形態】
本発明を図１〜図６に図示の実施の形態に基づいて詳細に説明する。
図１は本実施の形態の防塵眼鏡を前方から見た斜視図、図２は断面図、図３は当接部材の拡大断面図を示している。この防塵眼鏡は左右対称とされ、着用者の眼の前方に位置する眼鏡部１１は、粉塵等が眼の周りに入り込まないように、その周囲は防塵枠部１２により囲まれている。本実施の形態においては、眼鏡部１１と防塵枠部１２は、透明で硬質の例えばポリカーボネイト、ジエチレングリコールビスアリルカーボネイト等の合成樹脂材により一体的に成形されている。
【０００８】
また、防塵効果を更に助長するためと、額への接触圧を緩和するために、防塵枠部１２の縁部１２ａに沿って、合成樹脂材から成る柔軟性かつ弾力性を有する当接部材１３が防塵枠部１２の縁部１２ａに付設されている。
【０００９】
当接部材１３は粉塵や飛散物が顔面と防塵枠部１２の隙間からの進入することを防止すると共に、眼鏡部１１等に加わった衝撃を緩衝する役割も果たしている。当接部材１３は防塵枠部１２の縁部１２ａを挟着する挟着部１３ａと、額に柔軟に当接するための額当て部１３ｂと、挟着部１３ａと額当て部１３ｂの中間にあって、衝撃等を吸収するための緩衝部１３ｃとから構成されている。
【００１０】
挟着部１３ａは防塵枠部１２の縁部１２ａに嵌め込んで固定しているが、実施の形態においては、縁部１２ａの中央部には上方に折り曲げた突起１２ｂが設けられ、この突起１２ｂが挟着部１３ａの上方の辺に設けた溝部１３ｄに入り込むことにより外れ難くされている。また、２つの辺部は縁部１２ａを緊締するために、その入口部は狭くされている。
【００１１】
緩衝部１３ｃは挟着部１３ａの略中央部から延在され、断面Ｕ字状の略蛇腹状に形成された折返部１３ｅを有している。また、緩衝部１３ｃの挟着部１３ａへの起点は、特に挟着部１３ａの防塵枠部１２の縁部１２ａを挟む上下の線分の延長線Ｌ１、Ｌ２間に位置するようにすることが、縁部１２ａに加わる力を挟着部１３ａの辺部に伝えることなく、緩衝部１３ｃに直接に伝達できるので好ましい。
【００１２】
更に好ましくは、緩衝部１３ｃの挟着部１３ａの起点は、上述の延長線Ｌ２に近付けるか、緩衝部１３ｃの下起点１３ｆと延長線Ｌ２を揃えるようにすると良い。このようにすると、顔面との当接で額当て部１３ｂが挟着部１３ａの方向に押されるような力が加わっても、挟着部１３ａが縁部１２ａから外れ難くできる。
【００１３】
額当て部１３ｂは自由端である端部にゆくに従い、徐々に薄くなったひれ状とされ、端部においては顔面にフィットし易いように外側にカールしている。このようにひれ状であって、かつ外側にカールした形状にすると、顔面との当接時に額当て部１３ｂの先端部分が顔面に突き当たるように接触することなく、カールした方向に逃げるように当接部材１３全体が顔面との接触面積を広げるように変形するので不快感が生じない。
【００１４】
額当て部１３ｂは額、頬部、鼻部の周囲に主に配設されるが、頬部においては外側つまり顔面の中心から離れるほど長くなり、また、鼻部においては端部までの長さは殆どないが、長さを長くしたり、端部をくるむようにしたり、或いは厚みを大きくすることで、鼻部に伝わる衝撃力を緩和することもできる。
【００１５】
更に、図３に示す当接部材１３の場合には、額当て部１３ｂと緩衝部材１３ｃを結ぶ屈曲部１３ｇの下側の位置には、上起点１３ｈよりも上方に設けることが好ましい。このような構成にすることで、額当て部１３ｂが顔面に当接し始めは、折返部１３ｅが潰れるように変形し、より顔面との当接力が強まると、額当て部１３ｂの先端がカールした方向に逃げるように変形すると共に、緩衝部１３ｃの起点が折れ曲がり始めて、一旦潰れていた折返部１３ｅが逆に開くように変形を始める。このような変形をすることにより、前述の顔面との接触面積を広げる変形効果と共に、各部の折れ曲がり変形によって衝撃を吸収することができる。
【００１６】
なお本実施の形態においては、当接部材１３は防塵枠部１２に対して取り外し自在としているが、接着剤等により固定してもよい。
【００１７】
更に、眼鏡部１１及び防塵枠体１２の上部には、フレーム１４が３点において取り付けられている。即ち、フレーム１４はその中央において眼鏡部１１にピン１４ａにより係止され、更に両側部の防塵枠部１２にピン１４ｂにより係止されている。図２に示すように、両側部の防塵枠部１２にはほぼ上下方向に向く長孔１２ｃが設けられ、それぞれの長孔１２ｃには例えば３個の円孔が連続して形成されている。フレーム１４のコ字状の両端部にはピン１４ｂが内側に向いて突設され、これらのピン１４ｂが防塵枠部１２の長孔１２ｃの任意の円孔部分にクリック的に係止するようになっている。そして、このフレーム１４の端部にはヒンジ１５を介して耳掛部１６が連結されている。
【００１８】
耳掛部１６はヒンジ１５を介してフレーム１４に連結した筒部１６ａと、一部がこの筒部１６ａ内に収納可能な耳当て部１６ｂとから構成されている。耳当て部１６ｂは筒部１６ａにクリック的に摺動することにより伸縮自在とされている。
【００１９】
装着時に、耳掛部１６を着用者の顔面形状に合わせて、眼鏡部１１の眼鏡面に直交する方向に対して調整するとよい。これは人の頭部、顔面の大きさ及び頭部における耳の位置は千差万別であり、耳掛部１６の長さ調整と併せて行うことで、好適に使用できる。つまり、フレーム１４のピン１４ｂを防塵枠部１２の長孔１２ｃの任意の円孔部分に係止することにより、フレーム１４はピン１４ａを中心に眼鏡部１１の眼位置に対し上下の傾きを調整できるので、これにより耳掛部１６の角度を調整できることになる。
【００２０】
この防塵眼鏡は装着時に当接部材１３をほぼ顔面に密着させることができ、着用者の眼を風圧、粉塵、飛沫等から十分に保護することができる。更に、本実施の形態においては、防塵眼鏡の装着時に、硬質の防塵枠部１２の縁部１２ａが顔面に直接に接触することなく、柔軟性、弾力性を有する当接部材１３が緩衝材として額に接するので不快感はない。
【００２１】
また、不時に飛散物等が眼鏡部１１に衝突したり、防塵眼鏡の一部を壁等にぶつけた際にも、先ず緩衝部１３ｃの折返部１３ｅの間隔が挟まるなどの変形により衝撃を吸収でき、更に、緩衝部１３ｃを挟着部１３ａの中央部から延在したことにより、衝撃力が当接部材１３に均等に掛かり、防塵枠部１２から外れ難くなる。
【００２２】
図４（ａ）〜（ｄ）は、当接部材１３の折返部１３ｅの向きや数を任意に選択した変形例を示している。また、図５（ａ）〜（ｊ）は、緩衝部１３ｃの折返部１３ｅの形状を山形状、レ形状とした変形例を示している。何れの場合でも、緩衝部１３ｃの挟着部１３ａへの起点の位置関係や、上起点１３ｈと屈曲部１３ｆとの位置関係を図３の場合と同様にすることで、同じ効果が得られることは勿論である。
【００２３】
この防塵眼鏡をポケット等に収納する際には、図６に示すように耳当て部１６ｂを筒部１６ａに押し込み、耳掛部１６を最小の長さとしてからヒンジ１５により内方へ折り畳めばよい。なお、耳掛部１６が伸縮自在であることや折り畳めるようにすることは、本発明の本質的な問題ではなく、このような機能を具備していなくともよい。
【００２４】
【発明の効果】
以上説明したように本発明に係る防塵眼鏡は、柔軟性かつ弾力性を有する当接部材が顔面に常時接触することにより防塵機能が向上し、また飛散物等が衝突した際にこの当接部材に設けた緩衝部が衝撃を吸収するので、不快感や痛みを感ずることも少ない。
【図面の簡単な説明】
【図１】防塵眼鏡を前方から見た斜視図である。
【図２】断面図である。
【図３】拡大断面図である。
【図４】折返部の変形例の断面図である。
【図５】折返部の変形例の断面図である。
【図６】耳掛け部を畳んだ状態の斜視図である。
【図７】従来の防塵眼鏡を前方から見た斜視図である。
【符号の説明】
１１  眼鏡部
１２  防塵枠部
１２ａ  縁部
１２ｂ  突起
１３  当接部材
１３ａ  挟着部
１３ｂ  額当て部
１３ｃ  緩衝部
１３ｄ  溝部
１３ｅ  折返部
１４  フレーム
１５  ヒンジ
１６  耳掛部
【図１】
2004271753.tif 000003
【図２】
2004271753.tif 000004
【図３】
2004271753.tif 000005
【図４】
2004271753.tif 000006
【図５】
2004271753.tif 000007
【図６】
2004271753.tif 000008
【図７】
2004271753.tif 000009